(57)【要約】      （修正有）【課題】  コンタクトの応力を低減し、長期にわたりコンタクトをカードの導電部に安定的に接触させるカード用コネクタを提供する。【解決手段】  カード受け入れ空間を仕切る仕切面１１１を有するコネクタ本体１１０にコンタクトを設けてなるカード用コネクタであって、コネクタ本体には仕切面から内方へ凹む収容部１１３を設け、コンタクトは、収容部に収容された本体１２１と、本体からカード挿入方向にほぼ対向して延びた接触片１２２とを備え、接触片の中途部１２２ｂが、湾曲し且つ仕切面から外方へ突き出ており、接触片に、先端１２３ａ、１２４ａが接触片の幅方向両側に突出する第１ストッパ１２３及び第２ストッパ１２４を設け、収容部の開口周縁に、仕切面の裏側にあって第１ストッパ及び第２ストッパの先端をそれぞれ受け止める受面を設け、第１ストッパが接触片の基端１２２ａ付近から延び、第２ストッパが接触片の先端１２２ｃ付近から延びている。【選択図】  図６
2007012333.tif 000002
【特許請求の範囲】
【請求項１】
カードが挿入されるカード受け入れ空間を仕切る仕切面を有するコネクタ本体にコンタクトを設けてなるカード用コネクタであって、
コネクタ本体には仕切面から内方へ凹む収容部が設けられ、
コンタクトは、コネクタ本体の収容部に収容された本体と、この本体からカード挿入方向にほぼ対向して延びた接触片とを備え、
接触片の中途部が、湾曲し且つコネクタ本体の仕切面から外方へ突き出ており、
接触片には、さらに、先端が接触片の幅方向両側に突出する第１ストッパ及び第２ストッパが設けられ、
コネクタ本体の収容部の開口周縁には、仕切面の裏側にあって第１ストッパ及び第２ストッパの先端をそれぞれ受け止める受面が設けられ、
第１ストッパが接触片の基端付近から延びており、第２ストッパが接触片の先端付近から延びているカード用コネクタ。
【請求項２】
第１ストッパの先端と第２ストッパの先端が、カード挿入方向に沿ってずれて配置されている請求項１のカード用コネクタ。
【発明の詳細な説明】
【技術分野】
【０００１】
本発明は、カードの導電部に接触して電気的に接続を果たすカード用コネクタの技術分野に属する。
【背景技術】
【０００２】
特許文献１に開示されたコネクタは、少なくとも２方向からカードを挿入するコネクタである。このコネクタは、上記カードと接続する接触部が設けられたコンタクトと、一面に上記接触部が突出するようにこのコンタクトを保持するインシュレータとを備えている。このコネクタにはコンタクトが並設されたピッチ方向である第１のカード挿入方向と、上記第１のカード挿入方向と直交する第２のカード挿入方向とからカードが挿入される。接触部は、上記第１のカード挿入方向側に上記カードの挿入を案内する第１の誘い部と、上記第２のカード挿入方向側にカードの挿入を案内する第２の誘い部とがそれぞれ設けられた略Ｔ字形状に形成されている。上記第１及び第２の誘い部のそれぞれは、それぞれ少なくとも一部が上記インシュレータの一面から引っ込むように構成されている。
【０００３】
特許文献１の図２、図３、図４に示すように、コンタクトの接触部の先端にはコンタクトの幅方向両側に突出するストッパが設けられ、これがインシュレータに引っ掛けられていて、コンタクトの接触部がインシュレータの一面に対してカード未装着時よりも浮き上がることを防止するようにしている。
【０００４】
【特許文献１】特開２００３−２５７５２９号公報
【発明の開示】
【発明が解決しようとする課題】
【０００５】
特許文献１のコネクタの場合、カードはインシュレータの一面に対してほぼ平行にして挿入されるが、カードがインシュレータの一面に対して傾いて挿入され、カードがコンタクトの先端に突き当たり、この先端をインシュレータの一面から浮き上がるように押し上げても、ストッパがインシュレータに引っ掛かるので、実際にはコンタクトの接触部の浮き上がりが防止される。しかし、ストッパがコンタクトの先端にあるので、押し上げ力がコンタクトの先端に集中して作用することになり、コンタクトに負担をかけ、長期にわたってコンタクトがカードの導電部に安定的に接触させることが難しくなる。
【０００６】
本発明は、このような点に着目してなされたもので、その目的とするところは、コンタクトの接触片がカードから受ける押し上げ力を分散し、コンタクトが受ける応力を低減し、長期にわたってコンタクトをカードの導電部に安定的に接触させることにある。
【課題を解決するための手段】
【０００７】
本発明は、カードが挿入されるカード受け入れ空間を仕切る仕切面を有するコネクタ本体にコンタクトを設けてなるカード用コネクタである。このカード用コネクタでは、コネクタ本体には仕切面から内方へ凹む収容部が設けられ、コンタクトは、コネクタ本体の収容部に収容された本体と、この本体からカード挿入方向にほぼ対向して延びた接触片とを備え、接触片の中途部が、湾曲し且つコネクタ本体の仕切面から外方へ突き出ており、接触片には、さらに、先端が接触片の幅方向両側に突出する第１ストッパ及び第２ストッパが設けられ、コネクタ本体の収容部の開口周縁には、仕切面の裏側にあって第１ストッパ及び第２ストッパの先端をそれぞれ受け止める受面が設けられ、第１ストッパが接触片の基端付近から延びており、第２ストッパが接触片の先端付近から延びている。
【０００８】
カード受け入れ空間にカードが挿入されると、カードの導電部にコンタクトの接触片の中途部が接触し、これらが電気的に接続を果たす。カード受け入れ空間からカードが抜去されると、カードの導電部からコンタクトが離れ、これらが電気的に非接続となる。
【０００９】
カードがコネクタ本体の仕切面に対して傾いて挿入され、カードがコンタクトの接触片の先端に突き当たり、カードが接触片を仕切面に対してカード未装着時よりも浮き上がるように押し上げても、第１ストッパの先端及び第２ストッパの先端が受面に受け止められるので、接触片の浮き上がりが防止される。その場合、第１ストッパが接触片の基端付近から延びており、第２ストッパが接触片の先端付近から延びているので、押し上げ力が接触片の基端付近と先端付近とに分散して作用する。そのため、接触片の特定部位への応力集中が回避され、コンタクトへの負担が軽減され、長期にわたってコンタクトがカードの導電部に安定的に接触することになる。また、展開形状のコンタクトを複数、接触片の幅方向に並ぶように板から打ち抜く場合、隣り合うコンタクト同士で第１ストッパと第２ストッパとが接触片の幅方向に突き合うことがなく、互い違いに延びるので、板取の効率が上がる。
【００１０】
本発明のカード用コネクタは、第１ストッパの先端と第２ストッパの先端が、カード挿入方向に沿ってずれて配置されていてもよい。
【００１１】
このようにすれば、コンタクトが接触片の幅方向に並べて設けられている場合、隣り合うコンタクトのうち一方のコンタクトの第１ストッパの先端と他方のコンタクトの第２ストッパの先端がカード挿入方向に沿ってずれて配置されるので、これらのストッパの先端からコネクタ本体の受面付近に作用する応力集中が緩和され、コネクタ本体への負担が軽減され、長期にわたってコンタクトがカードの導電部に安定的に接触することになる。
【発明の効果】
【００１２】
本発明のカード用コネクタは、コンタクトの接触片がカードから受ける押し上げ力を分散したので、接触片の特定部位への応力集中が回避され、コンタクトへの負担が軽減され、長期にわたってコンタクトをカードの導電部に安定的に接触させることができる。また、コンタクトの板取の効率を上げることができる。
【００１３】
第１ストッパの先端と第２ストッパの先端をカード挿入方向に沿ってずれて配置したときには、隣り合うコンタクトのストッパの先端からコネクタ本体の受面付近に作用する応力集中が緩和され、コネクタ本体への負担が軽減され、長期にわたってコンタクトをカードの導電部に安定的に接触させることができる。
【発明を実施するための最良の形態】
【００１４】
以下、本発明の実施の形態を説明する。図１は実施形態のカード用コネクタ１００を示す。このカード用コネクタ１００は、コネクタ本体１１０と、このコネクタ本体１１０に設けられたコンタクト１２０とを備えている。コネクタ本体１１０は絶縁性材料により形成されており、部分的に金属部材などが設けられる。コネクタ本体は、全て絶縁性材料により形成してもよく、少なくともコンタクト１２０の周辺が絶縁性材料で形成されていることが必要である。コネクタ本体１１０の主要部はほぼ板状に形成されている。コネクタ本体１１０の主要部の表面はほぼ平坦に形成されている。この表面が、カードＣが挿入されるカード受け入れ空間Ｓを仕切る仕切面１１１となっており、この仕切面１１１に面してカード受け入れ空間Ｓが存在している。１１２は必要に応じて設けられる挟持部であって、コンタクト１２０との間でカードＣを挟持してカードＣの浮き上がりを防止している。コネクタ本体１１０には仕切面１１１から内方へ凹む収容部１１３が設けられている。収容部１１３はコネクタ本体１１０の主要部を厚さ方向に貫通する孔である。収容部を底のある穴としてもよい。収容部１１３はコネクタ本体１１０の周縁にまで至り、ここで開放されているが、この部分を開放せずに閉塞してもよい。カードＣは一面に導電部が設けられたＳＩＭカードであるが、本発明のカード用コネクタが対象とするカードにはＵＩＭカード、ＳＤカードその他の種々のカードが含まれ、さらにカード形のバッテリーも含まれる。要するに少なくとも一面に導電部が設けられたカードが対象となる。この実施形態のカード用コネクタ１００は６極であり、コンタクト１２０は全て同じものであるが、本発明のカード用コネクタの極数はこれによって限定されるものではなく、また、他の構成のコンタクトが混在していてもよい。
【００１５】
コンタクト１２０は、導電性材料により形成されている。コンタクト１２０は、板から打ち抜き、折り曲げて形成される（図７を参照）。図５及び図６に示すように、コンタクト１２０は、コネクタ本体１１０の収容部１１３に収容された本体１２１と、この本体１２１からカード挿入方向（図１及び図６の矢印方向）又はこれに対向する方向に延びた接触片１２２とを備えている。この実施形態の場合、カード挿入方向の手前側に並ぶコンタクト１２０では、接触片１２２は本体１２１からカード挿入方向に対向する方向に延びており、カード挿入方向の奥側に並ぶコンタクト１２０では、接触片１２２は本体１２１からカード挿入方向に延びている。本体１２１は相手側部材に実装されるための接続部を有している。接触片１２２は、展開形状が板厚の方向にみて、ほぼ長細い長方形状に形成されている。接触片１２２の一端は本体１２１に連続しており、この一端が接触片１２２の基端１２２ａとなっている。この接触片１２２と本体１２１との連続部はＵ字状に形成されているが、Ｖ字状その他の形状であってもよい。接触片１２２の他端は自由端となっており、この他端が先端１２２ｃとして収容部１１３に入っている。しかし、接触片の自由端を収容部に入れないようにしてもよい。そして、接触片１２２の中途部１２２ｂが、湾曲し且つコネクタ本体１１０の仕切面１１１から外方へ突き出ている。中途部１２２ｂは円弧を描くように湾曲しているが、倒立Ｖ字形に湾曲していてもよい。本体１２１はコネクタ本体１１０に圧入により装着される。また、接触片１２２は、挿入されたカードＣに押されて撓み、中途部１２２ｂが収容部１１３の内部に向かって移動する。そして、中途部１２２ｂがカードＣの導電部に接触する。
【００１６】
図１ないし図６に示すように、接触片１２２には、さらに、先端１２３ａ、１２４ａが接触片１２２の幅方向両側に突出する第１ストッパ１２３及び第２ストッパ１２４が設けられている。この幅方向とは、ほぼ長細い長方形状の接触片１２２の短辺に沿う方向である。第１ストッパ１２３の先端１２３ａ及び第２ストッパ１２４の先端１２４ａはそれぞれ接触片１２２の幅方向外側に突出している。幅方向外側とは、幅方向に沿って接触片１２２から離れる側である。コネクタ本体１１０の収容部１１３の開口周縁には、仕切面１１１の裏側にあって第１ストッパ１２３及び第２ストッパ１２４の先端１２３ａ、１２４ａをそれぞれ受け止める受面１１４が設けられている。これによって接触片１２２が仕切面１１１に対してカード未装着時よりも浮き上がることを防止するようにしている。この実施形態では、受面１１４は収容部１１３の開口を介してほぼ対向する部位に設けられている。受面１１４が他の裏側の面よりも仕切面１１１に向かって凹んでおり、この凹部に第１ストッパ１２３の先端１２３ａと第２ストッパ１２４の先端１２４ａが入っている。
【００１７】
図２に示すように、第１ストッパ１２３は、接触片１２２の基端１２２ａの付近から延びている。図３に示すように、第２ストッパ１２４は、第１ストッパ１２３とは接触片１２２の幅方向の逆側において、接触片１２２の先端１２２ｃの付近から延びている。第１ストッパ１２３は、接触片１２２の基端１２２ａの付近に連続する板片であり、この基端１２２ａの付近からコネクタ本体１１０の収容部１１３に向けて折れ曲がり、接触片１２２の先端１２２ｃに向かって延び、ほぼ接触片１２２の中途部１２２ｂの付近まで至っており、先端１２３ａが接触片１２２の幅方向外側に向けて折れ曲がっており、この先端１２３ａが接触片１２２の幅方向外側に突出している。第２ストッパ１２４は、接触片１２２の先端１２２ｃの付近に連続する板片であり、この先端１２２ｃの付近からコネクタ本体１１０の収容部１１３に向けて折れ曲がり、接触片１２２の基端１２２ａに向かって延び、ほぼ接触片１２２の中途部１２２ｂの付近まで至っており、先端１２４ａが接触片１２２の幅方向外側に向けて折れ曲がっており、この先端１２４ａが接触片１２２の幅方向外側に突出している。この第１ストッパ１２３及び第２ストッパ１２４は、接触片１２２の幅方向に沿ってみたときに接触片１２２と仕切面１１１との間に形成される隙間Ｔを塞いでいる。ここで、ストッパが隙間を塞ぐということの意味であるが、これには隙間を完全に塞ぐことが含まれるが、多くの場合、この実施形態のようにストッパ１２３、１２４により隙間Ｔを狭めることを意味しており、結果的に小さい隙間が残ることを妨げない。
【００１８】
そして、図５に示すように、第１ストッパ１２３の先端１２３ａと第２ストッパ１２４の先端１２４ａが、カード挿入方向に沿ってずれて配置されている。この実施形態では、第１ストッパ１２３の先端１２３ａが第２ストッパ１２４の先端１２４ａよりも接触片１２２の基端１２２ａの側へずれているが、逆に第１ストッパ１２３の先端１２３ａが第２ストッパ１２４の先端１２４ａよりも接触片１２２の先端１２２ｃの側へずれていてもよい。
【００１９】
従って、上記実施形態のカード用コネクタ１００の場合、カード受け入れ空間ＳにカードＣが挿入されると、カードＣの導電部にコンタクト１２０の接触片１２２の中途部１２２ｂが接触し、これらが電気的に接続を果たす。カード受け入れ空間ＳからカードＣが抜去されると、カードＣの導電部からコンタクト１２０が離れ、これらが電気的に非接続となる。
【００２０】
カードＣがコネクタ本体１１０の仕切面１１１に対して傾いて挿入され、カードＣがカード挿入方向の手前側にあるコンタクト１２０の接触片１２２の先端１２２ｃに突き当たり、カードＣが接触片１２２を仕切面１１１に対してカード未装着時よりも浮き上がるように押し上げても、第１ストッパ１２３の先端１２３ａ及び第２ストッパ１２４の先端１２４ａが受面１１４に受け止められるので、接触片１２２の浮き上がりが防止される。その場合、第１ストッパ１２３が接触片１２２の基端１２２ａの付近から延びており、第２ストッパ１２４が接触片１２２の先端１２２ｃの付近から延びているので、押し上げ力が接触片１２２の基端１２２ａの付近と先端１２２ｃの付近とに分散して作用する。そのため、接触片１２２の特定部位への応力集中が回避され、コンタクト１２０への負担が軽減され、長期にわたってコンタクト１２０がカードＣの導電部に安定的に接触することになる。また、図７に示した展開形状のコンタクト１２０を複数、接触片１２２の幅方向に並ぶように板から打ち抜く場合、隣り合うコンタクト同士で第１ストッパ１２３と第２ストッパ１２４とが接触片１２２の幅方向に突き合うことがなく、互い違いに延びるので、板取の効率が上がる。
【００２１】
第１ストッパ及び第２ストッパは、接触片の幅方向に沿ってみたときに接触片と仕切面との間に形成される隙間を塞ぐように配置しなくてもよく、例えば、接触片の幅方向に沿ってみたときに、この隙間を避けるように設けてもよい。しかし、上記実施形態の場合、第１ストッパ１２３及び第２ストッパ１２４は隙間Ｔを塞いでいる。したがって、カード受け入れ空間Ｓの入口から器具を挿入してコンタクト１２０の接触片１２２と仕切面１１１との間に形成される隙間Ｔの塵などを器具で取り除こうとしても、隙間Ｔが第１ストッパ１２３、第２ストッパ１２４で塞がれているので、器具が隙間Ｔに入らないことから、コンタクト１２０が変形することが防止される。このため、カード受け入れ空間ＳにカードＣが挿入されると、長期にわたってコンタクト１２０がカードＣの導電部に安定的に接触する。また、第１ストッパ、第２ストッパがコンタクトから折れ曲がる方向が上記実施形態によって限定されるものではない。しかし、上記実施形態の場合、第１ストッパ１２３、第２ストッパ１２４はコンタクト１２０からコネクタ本体１１０の収容部１１３に向けて折れ曲がっているので、仕切面１１１にほぼ直交する方向からみて第１ストッパ１２３、第２ストッパ１２４が接触片１２２の幅方向から極力突出しないようにできる。そのため、仕切面１１１にほぼ直交する方向からみたときのコンタクト１２０とコネクタ本体１１０との間の隙間Ｔのできる長さが従来のコネクタに較べて短くなり、このことからもコンタクト１２０が変形することが防止され、長期にわたってコンタクト１２０がカードＣの導電部に安定的に接触する。
【００２２】
さらに、第１ストッパ１２３が接触片１２２の基端１２２ａの付近から延びており、第２ストッパ１２４が接触片１２２の先端１２２ｃの付近から延びており、第１ストッパ１２３も第２ストッパ１２４も湾曲した中途部１２２ｂには連続しないので、加工が単純となり、加工性が良い。
【００２３】
本発明のカード用コネクタは、第１ストッパ１２３の先端１２３ａと第２ストッパ１２４の先端１２４ａが、接触片１２２の幅方向に並んでいて、カード挿入方向に沿ってずれていなくてもよい。しかし、上記実施形態のカード用コネクタ１００の場合、第１ストッパ１２３の先端１２３ａと第２ストッパ１２４の先端１２４ａが、カード挿入方向に沿ってずれて配置されている。このようにすれば、実施形態のようにコンタクト１２０を接触片１２２の幅方向に並べて設けていると、隣り合うコンタクト１２０のうち一方のコンタクト１２０の第１ストッパ１２３の先端１２３ａと他方のコンタクト１２０の第２ストッパ１２４の先端１２４ａがカード挿入方向に沿ってずれて配置されるので、これらのストッパ１２３、１２４の先端１２３ａ、１２４ａからコネクタ本体１１０の受面１１４の付近に作用する応力集中が緩和され、コネクタ本体１１０への負担が軽減され、長期にわたってコンタクト１２０がカードＣの導電部に安定的に接触することになる。
【図面の簡単な説明】
【００２４】
【図１】実施形態のカード用コネクタを示す斜視図である。
【図２】実施形態のカード用コネクタのコンタクトを示す拡大斜視図である。
【図３】実施形態のカード用コネクタのコンタクトを示す拡大斜視図である。図２とは逆側からみている。
【図４】実施形態のカード用コネクタのコンタクトを接触片の先端側からみた拡大正面図である。
【図５】実施形態のカード用コネクタのコンタクト付近をみた平面図である。
【図６】実施形態のカード用コネクタのコネクタ本体を断面し、コンタクト付近をみた断面図である。
【図７】実施形態のカード用コネクタのコンタクトを板から打ち抜くときの板取を示す図である。
【符号の説明】
【００２５】
１００  カード用コネクタ
１１０  コネクタ本体
１１１  仕切面
１１３  収容部
１１４  受面
１２０  コンタクト
１２１  本体
１２２  接触片
１２２ａ  基端
１２２ｂ  中途部
１２２ｃ  先端
１２３  第１ストッパ
１２３ａ  先端
１２４  第２ストッパ
１２４ａ  先端
Ｓ      カード受け入れ空間
Ｃ      カード
Ｔ      隙間
【図１】
2007012333.tif 000003
【図２】
2007012333.tif 000004
【図３】
2007012333.tif 000005
【図４】
2007012333.tif 000006
【図５】
2007012333.tif 000007
【図６】
2007012333.tif 000008
【図７】
2007012333.tif 000009